(57)【要約】【課題】  ケーブルを所定位置に容易にかつ確実に取付けることのできるケーブル保持装置を提供する。【解決手段】  ケーブル保持装置７は、凹部５０を有する支持体４０と、第１の軸６２を中心に回動可能な押さえ部材６０と、第２の軸６３を中心に回動可能なロックプレート６１を有している。押さえ部材６０は、凹部５０の開口部５３と対向する閉位置と、開口部５３を開放する開位置とにわたって回動する。押さえ部材６０は、ケーブル６のハブ部材１５に嵌合する嵌合位置と、ハブ部材１５から離れる非嵌合位置とにわたって、第１の軸６２の軸線方向に移動可能である。ロックプレート６１は、押さえ部材６０が前記嵌合位置から非嵌合位置に移動することを阻止するロック位置と、押さえ部材６０が前記嵌合位置から非嵌合位置に移動することを許容するロック解除位置とにわたって回動する。【選択図】    図１
2006008071.tif 000002
【特許請求の範囲】
【請求項１】
ケーブルを支持体に取付けるためのケーブル保持装置であって、
前記支持体に形成され、前記ケーブルの被支持部を該ケーブルの径方向から挿入可能な開口部を有する凹部と、
前記支持体の前記凹部の両側に形成された一対の壁部のうちの一方の壁部に設けた第１の軸によって支持される押さえ部材であって、前記凹部の開口部と対向する閉位置と前記開口部を開放する開位置とにわたって前記第１の軸を中心に回動可能でかつ、前記ケーブルの被支持部に嵌合する嵌合位置と被支持部から離れる非嵌合位置とにわたって前記第１の軸の軸線方向に移動可能な押さえ部材と、
前記支持体の他方の壁部に設けた第２の軸によって支持されるロックプレートであって、前記押さえ部材が前記嵌合位置から非嵌合位置に移動することを阻止するロック位置と前記嵌合位置から非嵌合位置に移動することを許容するロック解除位置とにわたって回動可能なロックプレートと、
を具備したことを特徴とするケーブル保持装置。
【請求項２】
前記ロックプレートは、前記押さえ部材の厚み方向に重なる前記ロック位置と、前記押さえ部材から離れる前記ロック解除位置とにわたって回動可能であり、該ロックプレートに、前記押さえ部材が前記閉位置にあるときに前記押さえ部材の凸部に嵌合する孔が形成されていることを特徴とする請求項１に記載のケーブル保持装置。
【請求項３】
前記支持体に、前記押さえ部材が前記開位置から閉位置に回動する際、前記押さえ部材が前記非嵌合位置から前記嵌合位置に移動することを案内するガイド面が形成されていることを特徴とする請求項１または２に記載のケーブル保持装置。
【請求項４】
前記ケーブルが、アウタチューブと、該アウタチューブに挿入されたインナケーブルとを有し、該アウタチューブにハブ部材が設けられ、該ハブ部材の両側面に該ケーブルの径方向に突出する一対の軸部が形成され、前記支持体に前記一方の軸部を回動可能に支持する孔が形成され、前記押さえ部材に前記他方の軸部を回動可能に支持する孔を有する軸受部材が設けられていることを特徴とする請求項１に記載のケーブル保持装置。
【請求項５】
前記支持体の一方の面に前記押さえ部材が取付けられ、前記支持体の他方の面に前記ロックプレートが取付けられ、該ロックプレートに、前記押さえ部材が前記嵌合位置にあるとき該押さえ部材が前記嵌合位置から非嵌合位置に移動することを阻止すべく前記第１の軸の係合部に係合するフック部が形成されていることを特徴とする請求項１に記載のケーブル保持装置。
【発明の詳細な説明】
【技術分野】
【０００１】
この発明は、ケーブルを所定位置に保持するためのケーブル保持装置に関する。
【背景技術】
【０００２】
様々な装置にケーブルが使用されている。例えば、水上オートバイに使われるステアリングハンドル装置は、ステアリングシャフトを有し、このステアリングシャフトの下端にアームが設けられ、このアームに操向用ケーブルの一端側が接続されている。操向用ケーブルの他端側は船体後部の水噴射ノズルに接続されている。ステアリングシャフトを回動させたときに、その回動方向に応じてアームが回動することにより、操向用ケーブルがプッシュ（押し）あるいはプル（引き）されて、船体後部の水噴射ノズルの向きが変わる。（例えば下記特許文献１参照）
操向用ケーブルの一例は、可撓性のアウタチューブと、該アウタチューブに挿入されたインナケーブルとを有するプッシュプルタイプのケーブルである。該アウタチューブの端部が、船体のケーブル取付部に接続される。インナケーブルの一方の端部が、前記アームに設けられたケーブル取付部に接続される。インナケーブルの他方の端部は、前記水噴射ノズルに接続される。
【特許文献１】特開平１１−３４８８８８号公報
【発明の開示】
【発明が解決しようとする課題】
【０００３】
前記従来のステアリングハンドル装置では、操向用ケーブルのアウタチューブの端部がブラケットとボルト等によって船体に固定される。しかしながら水上オートバイのような狭い船体内部でボルトを締付けたり、ボルトを外したりする作業は作業性が悪く、ケーブルの取付作業が困難なものとなっている。
【０００４】
従って本発明の目的は、ケーブルを所定位置に容易にかつ確実に取付けることのできるケーブル保持装置を提供することにある。
【課題を解決するための手段】
【０００５】
本発明のケーブル保持装置は、ケーブルを支持体に取付けるためのケーブル保持装置であって、前記支持体に形成され、前記ケーブルの被支持部を該ケーブルの径方向から挿入可能な開口部を有する凹部と、前記支持体の前記凹部の両側に形成された一対の壁部のうちの一方の壁部に設けた第１の軸によって支持される押さえ部材と、前記支持体の他方の壁部に設けた第２の軸によって支持されるロックプレートとを具備している。
【０００６】
前記押さえ部材は、前記凹部の開口部と対向する閉位置と前記開口部を開放する開位置とにわたって前記第１の軸を中心に回動可能でかつ、前記ケーブルの被支持部に嵌合する嵌合位置と被支持部から離れる非嵌合位置とにわたって前記第１の軸の軸線方向に移動可能である。前記ロックプレートは、前記押さえ部材が前記嵌合位置から非嵌合位置に移動することを阻止するロック位置と、前記嵌合位置から非嵌合位置に移動することを許容するロック解除位置とにわたって回動可能である。
【０００７】
本発明の好ましい形態では、前記ロックプレートは、前記押さえ部材の厚み方向に重なる前記ロック位置と、前記押さえ部材から離れる前記ロック解除位置とにわたって回動可能であり、該ロックプレートに、前記押さえ部材が前記閉位置にあるときに前記押さえ部材の凸部に嵌合する孔が形成されている。
【０００８】
本発明の好ましい形態では、前記支持体に、前記押さえ部材が前記開位置から閉位置に回動する際、前記押さえ部材が前記非嵌合位置から前記嵌合位置に移動することを案内するガイド面が形成されている。
【０００９】
前記ケーブルの一例は、アウタチューブと、該アウタチューブに挿入されたインナケーブルとを有し、該アウタチューブにハブ部材が設けられ、該ハブ部材の両側面に該ケーブルの径方向に突出する一対の軸部が形成され、前記支持体に前記一方の軸部を回動可能に支持する孔が形成され、前記押さえ部材に前記他方の軸部を回動可能に支持する孔を有する軸受部材が設けられている。
【００１０】
本発明において、例えば、前記支持体の一方の面に前記押さえ部材が取付けられ、前記支持体の他方の面に前記ロックプレートが取付けられ、該ロックプレートに、前記押さえ部材が前記嵌合位置にあるとき該押さえ部材が前記嵌合位置から非嵌合位置に移動することを阻止すべく前記第１の軸の係合部に係合するフック部が形成されていてもよい。
【００１１】
なお本発明のケーブル保持装置は、水上オートバイ等の船舶に使用されるケーブル以外にも、例えば車両や建設機械をはじめとする各種機器に使われるケーブルを所定位置に保持するために適用することができる。
【発明の効果】
【００１２】
請求項１に記載した発明によれば、支持体と押さえ部材とロックプレートとを有するケーブル保持装置により、ケーブルの被支持部を所定の位置に容易にかつ確実に取付けることができ、取外すことも容易である。
【００１３】
請求項２に記載した発明によれば、押さえ部材に設けられた凸部に嵌合する孔を有するロックプレートによって、押さえ部材を閉位置に確実に保持することができる。
【００１４】
請求項３に記載した発明によれば、支持体に形成されたガイド面によって、押さえ部材が第１の軸の軸線方向に移動することを案内することができる。
【００１５】
請求項４に記載した発明によれば、ハブ部材に設けられた軸部を中心としてケーブルが揺動できるため、ケーブルの向きが変わる際に該ケーブルに無理な曲げ力が加わることを回避できる。
【００１６】
請求項５に記載した発明によれば、支持体の一方の面に設けた押さえ部材と、支持体の他方の面に設けたロックプレートによって、ケーブルを保持することができる。
【発明を実施するための最良の形態】
【００１７】
以下に本発明の第１の実施形態について、図１〜図９を参照して説明する。  
図１は、水上オートバイのステアリングハンドル装置に使用されるステアリングシャフト３の下部と、アーム５と、操向用ケーブル（プッシュプルケーブル）６と、ケーブル保持装置７などを示している。ステアリングシャフト３の上部にハンドルバー（図示せず）が取付けられる。操向用ケーブル６は本発明で言うケーブルに相当し、これ以降は単にケーブルと称する。
【００１８】
図２に示すように、ケーブル６は、可撓性を有するアウタチューブ１０と、アウタチューブ１０に挿入されたインナケーブル１１とを有している。インナケーブル１１はアウタチューブ１０の長さ方向（軸線方向）に相対移動することができる。インナケーブル１１の端部に、インナケーブル１１の一部をなすロッド部材１２が設けられている。ロッド部材１２にねじ部１３が形成されている。ねじ部１３にナット１４が螺合している。
【００１９】
アウタチューブ１０の端部に、アウタチューブ１０の一部である管状のハブ部材１５が設けられている。ハブ部材１５は、本発明で言うケーブルの被支持部に相当する部材である。ハブ部材１５の先端部分の両側面に、一対の軸部（トラニオン軸）１６，１７が形成されている。
【００２０】
図１および図３に示すようにケーブル保持装置７は、ケーブル６のハブ部材１５を保持するための支持体４０を備えている。この支持体４０に第１のケーブル取付部４２が設けられている。図４および図５に示すように、第１のケーブル取付部４２は、支持体４０に形成された凹部５０と、凹部５０の両側に形成された一対の壁部５１，５２とを有している。凹部５０にケーブル６のハブ部材１５を挿入することができる。凹部５０の開口部５３は、ハブ部材１５をケーブル６の径方向から出し入れすることができる大きさを有している。
【００２１】
ケーブル保持装置７は、凹部５０に挿入されたハブ部材１５が凹部５０から抜けることを阻止する機能を有している。ケーブル保持装置７は、一方の壁部５１に取付けられた押さえ部材６０と、他方の壁部５２に取付けられたロックプレート６１とを備えている。押さえ部材６０は一方の壁部５１に設けられた第１の軸６２を中心に回転自在である。
【００２２】
ロックプレート６１は他方の壁部５２に設けられた第２の軸６３を中心に回転自在である。ロックプレート６１の両側部に、手指を掛けることのできる形状の操作部６４が形成されている。
【００２３】
図５に示すように押さえ部材６０は、金属製の基板６５と、基板６５に固定された合成樹脂製の軸受部材７０を備えている。基板６５には、軸受部材７０のインサート成形時に軸受部材７０の一部が入り込んで固化する貫通孔６６と、第１の軸６２の端部を挿入し固定するための孔６７が形成されている。軸受部材７０の内面側（凹部５０に臨む側）に、ハブ部材１５の軸部１７が嵌合することのできる凹部７１が形成されている。
【００２４】
軸受部材７０の一部が基板６５の貫通孔６６から外面側に突出することにより、凸部７２が形成されている。凸部７２の周縁部７２ａは、ロックプレート６１が回動する際にロックプレート６１の縁６１ａが凸部７２に容易に乗り上げることができるように、滑らかな曲面に形成されている。
【００２５】
押さえ部材６０は、図６に示すように凹部５０の開口部５３を開放する開位置と、図７に示すように開口部５３と対向する閉位置とにわたって、第１の軸６２を中心に回動することができる。
【００２６】
図７は、押さえ部材６０の軸受部材７０がハブ部材１５の軸部１７から離れた状態（非嵌合位置）を示している。図８は、押さえ部材６０の軸受部材７０がハブ部材１５の軸部１７に嵌合した状態（嵌合位置）を示している。
【００２７】
すなわち押さえ部材６０は、ハブ部材１５（被支持部）に嵌合する嵌合位置と、ハブ部材１５から離れる非嵌合位置とにわたり、第１の軸６２の軸線方向（図７と図８に矢印Ｙで示す方向）に移動することができる。しかもこの押さえ部材６０は、第１の軸６２の周りに設けられたばね７３の弾力により、前記嵌合位置に向かって付勢されている。
【００２８】
図８は、ロックプレート６１が押さえ部材６０に重なっていない状態を示している。図９は、ロックプレート６１が押さえ部材６０に重なった状態を示している。すなわちロックプレート６１は、押さえ部材６０の外側に重なるロック位置と、押さえ部材６０と重ならないロック解除位置とにわたって回転可能である。
【００２９】
ロックプレート６１には、押さえ部材６０の凸部７２と嵌合可能な孔７４が形成されている。この孔７４は、押さえ部材６０が前記閉位置にあり、かつ、ロックプレート６１が前記ロック位置にあるときに、凸部７２と嵌合する位置に形成されている。この孔７４に凸部７２が嵌合することにより、押さえ部材６０とロックプレート６１の回り止めがなされるとともに、押さえ部材６０が前記嵌合位置から非嵌合位置に移動することが阻止される。ロックプレート６１の端部に、第２の軸６３の端部を挿入し固定するための孔６１ｂが形成されている。
【００３０】
ハブ部材１５に設けられた一方の軸部１６は、支持体４０に形成された孔７５に回転自在に嵌合する。他方の軸部１７は、押さえ部材６０の軸受部材７０の凹部７１に回転自在に嵌合する。これにより、ハブ部材１５は、支持体４０に対して、軸部１６，１７を中心として揺動可能に支持される。図３に示す符号Ｒが揺動中心である。すなわちこのハブ部材１５は、ケーブル６の端部が下記第２のケーブル取付部９０の方向を向くように、揺動することができる。支持体４０の凹部５０は、ハブ部材１５が揺動することを許容できる大きさを有している。
【００３１】
支持体４０に、ガイド面８０，８１（図４に示す）が形成されている。ガイド面８０，８１は、押さえ部材６０が前記開位置から前記閉位置に回動する際に、押さえ部材６０が第１の軸６２の軸線方向（図７に矢印Ｙ１で示す方向）にリフトしたのち、押さえ部材６０が図８に矢印Ｙ２で示す方向（嵌合位置）に移動するようにガイドするカム機能を有している。
【００３２】
図１と図３に示すように、アーム５に第２のケーブル取付部９０が設けられている。第２のケーブル取付部９０は、ボール状の突起部９１（図１に示す）を有している。この突起部９１にケーブル６のジョイント機構１００が着脱可能に接続される。
【００３３】
ジョイント機構１００は、第２のケーブル取付部９０の突起部９１に嵌合可能な穴１０１を有するソケット部材１０２と、ソケット部材１０２の軸線方向に移動可能な筒状の外れ止め部材１０３と、リターンばね１０４とを有している。外れ止め部材１０３は、リターンばね１０４によって、図１に矢印Ｅで示す方向、すなわち突起部９１がソケット部材１０２の穴１０１から抜けることを阻止するロック位置に向けて付勢されている。
【００３４】
ソケット部材１０２には、インナケーブル１１の一部をなすロッド部材１２に形成された前記ねじ部１３に螺合するねじ孔（図示せず）が形成されている。このねじ孔に、ロッド部材１２のねじ部１３を所定量ねじ込み、ナット１４によってロッド部材１２が固定される。
【００３５】
次に、上記ケーブル保持装置７と、ジョイント機構１００の作用について説明する。  
ケーブル６をアーム５と支持体４０に取付ける作業は、以下のようにして行なわれる。まず、ジョイント機構１００の外れ止め部材１０３を手指で図１中の矢印Ｆ方向（ロック解除位置）に移動させ、ソケット部材１０２の穴１０１を露出させる。
【００３６】
この状態で、ソケット部材１０２の穴１０１を第２のケーブル取付部９０の突起部９１に挿入する。そののち、外れ止め部材１０３から手を離すと、リターンばね１０４の弾力により、外れ止め部材１０３が矢印Ｅで示すロック位置に戻る。この作業により、アーム５の第２のケーブル取付部９０に、ジョイント機構１００を介して、ケーブル６のロッド部材１２が接続される。
【００３７】
このようなジョイント機構１００をケーブル６の先端に設けたことにより、工具を用いることなく簡単な操作により、インナケーブル１１の先端（ロッド部材１２）を、第２のケーブル取付部９０に容易に接続することができる。また必要に応じて、インナケーブル１１の先端を第２のケーブル取付部９０から容易に切離すことができる。
【００３８】
第１のケーブル取付部４２では、図６に示すように、押さえ部材６０を開位置に移動させる。また、ロックプレート６１をロック解除位置に移動させる。この状態から、ケーブル６のハブ部材１５を、図６に矢印Ｚで示す方向から支持体４０の凹部５０に挿入し、一方の軸部１６を支持体４０の孔７５に挿入する。
【００３９】
そののち図７に示すように、押さえ部材６０を閉位置に回転させる。その回転の際に、押さえ部材６０が、支持体４０のガイド面８０，８１に接しながら回転することにより、押さえ部材６０が第１の軸６２の軸線方向（図７に矢印Ｙ１で示す方向）にリフトする。押さえ部材６０が閉位置に至ると、押さえ部材６０がガイド面８０，８１から外れ、ばね７３の弾力によって押さえ部材６０が図８に矢印Ｙ２で示す方向に戻る。このことにより、押さえ部材６０の凹部７１がハブ部材１５の軸部１７に嵌合する。
【００４０】
このように押さえ部材６０を閉位置に回転させることにより、ハブ部材１５が支持体４０と押さえ部材６０によって保持される。この状態で、図９に示すように、ロックプレート６１を軸６３を中心に回転させ、押さえ部材６０の外側に重ねることにより、軸受部材７０の凸部７２をロックプレート６１の孔７４に嵌合させる。こうすることにより、押さえ部材６０とロックプレート６１の回り止めがなされ、ハブ部材１５が支持体４０と押さえ部材６０によって確実に保持される。
【００４１】
ハブ部材１５を支持体４０から外す作業は、上記とは逆の手順によって行なわれる。すなわち、ロックプレート６１を図８に示すロック解除位置に回転させてから、押さえ部材６０の両側部６０ａを手でつかんで非嵌合位置（図７に実線で示す位置）にリフトさせることにより、軸受部材７０の凹部７１をハブ部材１５の軸部１７から外す。なお、第１の軸６２の端部６２ａを指で押すことにより、軸受部材７０の凹部７１をハブ部材１５の軸部１７から外してもよい。
【００４２】
軸受部材７０の凹部７１をハブ部材１５の軸部１７から外した状態で、押さえ部材６０を図６に示す開位置に回転させると、ハブ部材１５を支持体４０の凹部５０から取出すことが可能となる。
【００４３】
このような構成のケーブル保持装置７によれば、工具を用いることなく簡単な操作により、ケーブル６のハブ部材１５を支持体４０の第１のケーブル取付部４２に容易に取付けることができる。また、必要に応じてハブ部材１５を支持体４０から容易に取外すこともできる。
【００４４】
ステアリングシャフト３が回転すると、図３に矢印Ｊで示す方向にアーム５が回動するとともに、ロッド部材１２が矢印Ｋで示す方向に移動する。これに伴い、ケーブル６のハブ部材１５が、軸受部材７０を中心として、矢印Ｌで示す方向に揺動する。図３中のＲが揺動中心である。このためロッド部材１２の向きが容易に変わることにより、ロッド部材１２に曲げ荷重が加わらず、アーム５が円滑に回動することができる。
【００４５】
従来のプッシュプルケーブルを用いたケーブルは、ロッド部材に曲げ荷重が加わることを避けるために、ハブ部材の先端にスリーブを揺動可能に設け、このスリーブの先端からロッド部材の先端部を突出させていた。このため従来は、ハブ部材からロッド部材の先端までの長さが大きくなる傾向があった。
【００４６】
これに対し本実施形態のケーブル６は、前述したように、ハブ部材１５が、第１のケーブル取付部４２に対して、軸受部材７０を中心として揺動できる。このため、ハブ部材１５からロッド部材１２の先端までの長さを、従来のケーブルよりも短くすることが可能となり、船体前部の狭いスペース内にレイアウトすることが容易となった。
【００４７】
図１０から図１２は本発明の第２の実施形態のケーブル保持装置７Ａを示している。図１０に示すように、支持体４０の一方の面１１１に、第１の実施形態と共通の構成と作用を有する押さえ部材６０（図１１に示す）が設けられている。支持体４０の他方の面１１２に、図１２に示すロックプレート１１３が設けられている。なお、このケーブル保持装置７Ａにおいて、第１の実施形態のケーブル保持装置７と共通の箇所には、第１の実施形態と共通の符号を付して説明を省略する。
【００４８】
ロックプレート１１３にフック部１１４と、第２の軸６３の端部を挿入し固定するための孔１１５が形成されている。フック部１１４は、押さえ部材６０が第１の実施形態で説明した嵌合位置にあるときに、第１の軸６２に形成されている溝状の係合部１１６に引掛けることができるようになっている。フック部１１４を係合部１１６に引掛けることにより、第１の軸６２が軸線方向に移動することが阻止され、押さえ部材６０が嵌合位置から非嵌合位置に移動することを防止することができる。
【００４９】
フック部１１４を係合部１１６から外せば、第１の軸６２が軸線方向に移動することが可能となるため、第１の実施形態と同様に、押さえ部材６０を嵌合位置から非嵌合位置に移動させることができ、さらに押さえ部材６０を開位置に回動させることができる。
【００５０】
図１３から図１６は本発明の第３の実施形態のケーブル保持装置７Ｂを示している。この実施形態では、図１３に示すように、支持体１２０の一方の面１２１に、押さえ部材１２２とロックプレート１２３が設けられている。押さえ部材１２２は、一方の壁部１２５に設けられた第１の軸６２を中心に、図１３に示す開位置から、図１４に示す閉位置にわたって回動可能である。
【００５１】
ロックプレート１２３は、他方の壁部１２６に設けられた第２の軸６３を中心に、図１３に示すロック解除位置から、図１５に示すロック位置にわたって、回動可能である。ロックプレート１２３の両側部に、手指を掛けることのできる形状の操作部１２４が形成されている。
【００５２】
ケーブル１３０は、アウタチューブ１３１と、インナケーブル１３２と、ハブ部材１３３の先端側に設けたスリーブ１３４などを有している。インナケーブル１３２の先端部を構成するロッド部材１３５がスリーブ１３４の先端から突出している。ハブ部材１３３に、周方向に連続する環状の溝部１３６が形成されている。
【００５３】
図１６に示すように、支持体１２０に形成された凹部１４０の内面に、ケーブル１３０の溝部１３６に嵌合する凸部１４１が形成されている。押さえ部材１２２にも、溝部１３６に嵌合する凸部１４２が形成されている。凹部１４０に、ケーブル１３０の被支持部すなわちハブ部材１３３を、径方向から挿入することができる。
【００５４】
このケーブル保持装置７Ｂの支持体１２０にケーブル１３０を固定するには、図１３に示すように押さえ部材１２２を開位置に移動させ、かつ、ロックプレート１２３をロック解除位置に移動させる。この状態から、ケーブル１３０のハブ部材１３３を支持体１２０の凹部１４０に挿入し、支持体１２０の凸部１４１にハブ部材１３３の溝部１３６を嵌合させる。
【００５５】
そののち図１４に示すように、押さえ部材１２２を閉位置に回転させ、ばね７３の弾力によって押さえ部材１２２を嵌合位置に移動させるとともに、押さえ部材１２２の凸部１４２をハブ部材１３３の溝部１３６に嵌合させる。この状態で、図１５に示すように、ロックプレート１２３を第２の軸６３を中心にロック位置に回転させ、ロックプレート１２３を押さえ部材１２２の外側に重ねる。こうすることにより、押さえ部材１２２が嵌合位置から非嵌合位置に移動することが阻止される。
【００５６】
ケーブル１３０を支持体１２０から外す作業は上記とは逆の手順によって行なわれる。すなわち、図１４に示すように、ロックプレート１２３をロック解除位置に回転させたのち、押さえ部材１２２を非嵌合位置に移動させる。そののち、押さえ部材１２２を図１３に示す開位置に回転させることにより、ケーブル１３０を支持体１２０から取出すことが可能となる。
【００５７】
このようなケーブル保持装置７Ｂも、工具を用いることなく簡単な操作により、ケーブル１３０のハブ部材１３３を支持体１２０に容易に取付けることができる。また、ケーブル１３０のハブ部材１３３を支持体１２０から容易に取外すこともできる。
【図面の簡単な説明】
【００５８】
【図１】本発明の第１の実施形態のケーブル保持装置を示す斜視図。
【図２】ケーブルの一例を一部省略して示す正面図。
【図３】図１に示されたケーブル保持装置にケーブルを取付けた状態を底面側から見た斜視図。
【図４】図１に示されたケーブル保持装置の支持体の底面図。
【図５】上記ケーブル保持装置を分解して示す図３中のＦ５−Ｆ５線に沿う断面図。
【図６】上記ケーブル保持装置にケーブルが挿入される直前の状態の断面図。
【図７】上記ケーブル保持装置の押さえ部材を閉位置に回転させた状態の断面図。
【図８】上記ケーブル保持装置の押さえ部材が嵌合位置に移動した状態の断面図。
【図９】上記ケーブル保持装置のロックプレートがロック位置に回転した状態の断面図。
【図１０】本発明の第２の実施形態のケーブル保持装置を示す断面図。
【図１１】図１０に示されたケーブル保持装置の押さえ部材の底面図。
【図１２】図１０に示されたケーブル保持装置のロックプレートの平面図。
【図１３】本発明の第３の実施形態のケーブル保持装置とケーブルを示す平面図。
【図１４】図１３に示されたケーブル保持装置の押さえ部材が閉位置にあり、ロックプレートがロック解除位置にある状態の断面図。
【図１５】図１３に示されたケーブル保持装置の押さえ部材が嵌合位置に移動し、ロックプレートがロック位置に移動した状態の断面図。
【図１６】図１４中のＦ１６−Ｆ１６線に沿う支持体の断面図。
【符号の説明】
【００５９】
６…ケーブル
７，７Ａ，７Ｂ…ケーブル保持装置
４０…支持体
５０…凹部
５１，５２…壁部
６０…押さえ部材
６１…ロックプレート
６２…第１の軸
６３…第２の軸
７０…軸受部材
８０，８１…ガイド面
１１３…ロックプレート
１２０…支持体
１２２…押さえ部材
１２３…ロックプレート
１３０…ケーブル
【図１】
2006008071.tif 000003
【図２】
2006008071.tif 000004
【図３】
2006008071.tif 000005
【図４】
2006008071.tif 000006
【図５】
2006008071.tif 000007
【図６】
2006008071.tif 000008
【図７】
2006008071.tif 000009
【図８】
2006008071.tif 000010
【図９】
2006008071.tif 000011
【図１０】
2006008071.tif 000012
【図１１】
2006008071.tif 000013
【図１２】
2006008071.tif 000014
【図１３】
2006008071.tif 000015
【図１４】
2006008071.tif 000016
【図１５】
2006008071.tif 000017
【図１６】
2006008071.tif 000018